(57)【要約】      （修正有）【課題】防水機能を備える排熱構造で、照明具の排熱と散熱技術に応用可能な散熱装置及びその散熱装置を設置する照明具を提供する。【解決手段】散熱装置1は、管体11とカバー体12を重ねて設置して構成し、管体11頂端とカバー体12間には、間隙部と通道が形成される。管体１１は両端に第一端口１１１と第二端口１１２を備える。照明具は、散熱装置と蓄熱本体を備える。蓄熱本体の結合口は、散熱装置１の第一端口１１１に連接する。【選択図】図１
0003167998.tif 000002
【実用新案登録請求の範囲】
【請求項１】
散熱装置は、管体とカバー体を重ねて設置して構成し、
前記管体は、中空構造で、両端にはそれぞれ第一端口と第二端口を備え、
前記カバー体は底内部に、空間を備え、前記空間の面積は、前記管体第二端口の面積より大きく、前記空間により、前記管体の第二端口上を覆って接合し、
前記管体と前記カバー体との間には、間隙部と通道を設置し、前記管体と前記カバー体との間は、未封鎖の状態を形成することを特徴とする散熱装置。
【請求項２】
前記第二端口外縁辺には、第二連接部を設置し、しかも前記カバー体の空間縁辺には、内連接部を設置し、前記内連接部は、前記第二連接部と接合し、
前記第一端口外縁辺には、第一連接部を設置し、前記第一連接部は、外ネジヤマ構造であることを特徴とする請求項１に記載の散熱装置。
【請求項３】
前記内連接部は、内ネジヤマ構造で、しかも前記第二連接部は、外ネジヤマ構造で、
前記内連接部の設置時には、外から内へと最底まで届かない形態とし、最内端には、間隙部を形成することを特徴とする請求項２に記載の散熱装置。
【請求項４】
前記管体の第二端口末端縁位置には、１個、或いは１個以上の間隙部を設置し、しかも前記各間隙部は、前記管体外側縁へと延伸して通道を設置することを特徴とする請求項１に記載の散熱装置。
【請求項５】
散熱装置を設置する照明具は、散熱装置と蓄熱本体を備え、
前記散熱装置は、管体とカバー体を備え、
前記管体は、中空構造で、両端にはそれぞれ第一端口と第二端口を備え、
前記カバー体は、底内部に、空間を備え、前記空間の面積は、前記管体端口の面積より大きく、前記空間により、前記管体の第二端口上を覆って接合し、
前記管体と前記カバー体との間には、間隙部と通道を設置し、前記管体と前記カバー体との間は、未封鎖の状態を形成し、
前記蓄熱本体には、１個、或いは１個以上の結合口を開設し、前記各結合口は、前記各散熱装置の第一端口に連接することを特徴とする散熱装置を設置する照明具。
【請求項６】
前記第二端口外縁辺には、第二連接部を設置し、しかも前記カバー体の空間縁辺には、内連接部を設置し、
前記内連接部により、前記第二連接部と接合することを特徴とする請求項５に記載の散熱装置を設置する照明具。
【請求項７】
前記内連接部は、内ネジヤマ構造で、しかも前記第二連接部は、外ネジヤマ構造で、
前記内連接部の設置時には、外から内へと最底まで届かない形態とし、最内端には、間隙部を形成することを特徴とする請求項６に記載の散熱装置を設置する照明具。
【請求項８】
前記第一端口外縁辺には、第一連接部を設置し、前記第一連接部は、外ネジヤマ構造で、しかも前記結合口には、内ネジヤマ構造を備えることを特徴とする請求項５に記載の散熱装置を設置する照明具。
【請求項９】
前記蓄熱本体上には、１枚、或いは１枚以上の散熱フィンを設置し、
前記蓄熱本体は、LED照明具であることを特徴とする請求項５に記載の散熱装置を設置する照明具。
【請求項１０】
前記散熱装置の管体の第二端口末端縁位置には、１個、或いは１個以上の間隙部を設置し、しかも前記各間隙部は、前記管体外側縁へと延伸して通道を設置することを特徴とする請求項５に記載の散熱装置を設置する照明具。
【考案の詳細な説明】
【技術分野】
【０００１】
本考案は散熱装置及びその散熱装置を設置する照明具に関し、特に防水機能を備える排熱構造で、少なくとも照明具の排熱と散熱技術に応用可能な散熱装置及びその散熱装置を設置する照明具に関する。
【背景技術】
【０００２】
現在、街路灯おいては、一般に、水銀灯、高圧ナトリウム灯が光源として採用されている。
これらは、白熱灯に比べれば電力を節約できるが、やはり莫大な電力を消費する。
もし、新たに開発された省エネ環境保護型のLED照明具を用いることができれば、水銀、鉛等の有害物質を含まないばかりか、出力の大きいLED照明具においては、少なくとも75%の電力を節減することができる。
【０００３】
しかし、出力の大きいLED照明には、散熱問題という難しい問題がある。
しかも、LED照明は温度の影響による光の減衰が大きく、かつ、街路灯の多くは屋外に設置されるため、散熱構造においては、風雨の影響等を考慮しなければならない。
【０００４】
これまでは、散熱目的を達成するため、多くはLED照明具の外に、散熱フィンを設置している。
しかし、上記したタイプの散熱フィンは、散熱材料を用い、その表面積を拡大することで、散熱作用を高めているに過ぎない。
そのため、その効果には限界がある。
【０００５】
さらに、従来の多くの散熱構造設計では、風が強く砂が飛んでくるような場所、或いは砂嵐に遭遇したりすれば、砂やほこりがたまり易く、フィン或いは排気散熱口が詰まり、散熱機能は失われてしまう。
すなわち、いかにして散熱効率を向上させ、同時に、ほこりの堆積、或いは詰まりの問題を解決した散熱構造を提供するかは、緊急の課題である。
本考案は、従来の散熱装置及びその散熱装置を設置する照明具の上記した欠点に鑑みてなされたものである。
【考案の概要】
【考案が解決しようとする課題】
【０００６】
本考案が解決しようとする第一の課題は、散熱通道を設置する方式を採用し、熱を主動的に排出する方式を散熱の手段とし、その散熱効率は、表面積を散熱の方式とする散熱装置よりはるかに高い散熱装置及びその散熱装置を設置する照明具を提供することである。
本考案が解決しようとする第二の課題は、散熱通道を設置し、砂やほこりがたまりにくい、或いは詰まりにくいという長所を備える散熱装置及びその散熱装置を設置する照明具を提供することである。
【課題を解決するための手段】
【０００７】
上記課題を解決するため、本考案は下記の散熱装置及びその散熱装置を設置する照明具を提供する。
散熱装置は、管体とカバー体を重ねて設置して構成し、
該カバー体により、中空の管体頂端を覆って蓋をすると、該管体頂端と該カバー体間には、間隙部と通道が形成され、該間隙部と該通道とは、該管体内部の熱を発散し排除する作用を提供し、
好ましくは、該管体は、中空管体で、両端には、それぞれ第一端口と第二端口を備え、該第一端口は、熱の入口で、該第二端口は、熱の出口で、
好ましくは、該管体の第一端口と第二端口の縁辺には、それぞれ第一連接部と第二連接部を設置し、
好ましくは、該カバー体の底内部には、空間を備え、該空間により、該管体の第二端口上を覆って蓋をし、該空間の面積は、該管体端口の面積より大きく、
好ましくは、該カバー体の底内部の空間縁辺には、内連接部を設置し、該内連接部により、第二連接部を接続し、
好ましくは、該第一連接部、該第二連接部の構造は、外ネジヤマで、しかも該内連接部の構造は、内ネジヤマで、
好ましくは、該カバー体の内連接部は設置時に、外から内へと底まで達しない形態とし、最内端には、間隙部を形成し、
好ましくは、該管体頂端と該カバー体との間に設置する通道は、該カバー体の内側壁に設置し、内側壁には、外から内へと縦に、１本、或いは１本以上の通道を設置し、
該管体が、該第二連接部と該カバー体の内連接部とを利用して螺接されると、該カバー体の間隙部と通道とを利用し、該管体内、外は通じて、未封鎖状態を形成し、
好ましくは、散熱装置は、蓄熱本体上に設置し、該蓄熱本体上には、結合口を開設し、該結合口は、該第一連接部と接続し、こうして散熱装置と蓄熱本体との結合関係を完成し、
好ましくは、該結合口は、内ネジヤマを備え、
好ましくは、該蓄熱本体は、少なくともLED照明具を含み、しかもさらに、熱エネルギーを発生し、しかも排熱が必要なあらゆる物体を含み、
好ましくは、LED照明具の蓄熱本体上には、１枚、或いは１枚以上の散熱フィンを設置し、
好ましくは、該カバー体の底端縁は、周辺の散熱フィンの頂端縁よりやや高く、
好ましくは、該カバー体の底端縁の周辺は、通風が良好な開放状で、
該間隙部或いは該通道は、該カバー体中に設置しなくても良く、該管体の一端縁位置に設置する形態とすることができ、
該管体の一末端には、間隙部を陥没状に設置し、しかも該間隙部から延伸し下方へと湾曲して、通道を設置し、
該カバー体と該管体とを連接すると、該管体上に設置する間隙部と通道とは、該カバー体と該管体との間に、未封鎖の連接関係を提供することができる。
【考案の効果】
【０００８】
本考案の散熱装置及びその散熱装置を設置する照明具は、散熱通道を設置する方式を採用し、熱を主動的に排出する方式を散熱の手段とし、その散熱効率は、表面積を散熱の方式とする散熱装置よりはるかに高く、散熱通道を設置することで、砂やほこりがたまりにくい、或いは詰まりにくいという長所を備える。
【図面の簡単な説明】
【０００９】
【図１】本考案第一実施例散熱装置の立体分解図である。
【図２】本考案第一実施例散熱装置中におけるカバー体の局部立体断面構造図である。
【図３】本考案第一実施例散熱装置の断面構造図である。
【図４】本考案第一実施例散熱装置を照明具に設置する様子を示す立体分解図である。
【図５】本考案第一実施例散熱装置を照明具に設置する様子を示す断面構造図である。
【図６】本考案第一実施例散熱装置を照明具に設置する様子を示す断面排熱模式図である。
【図７】本考案第二実施例散熱装置の立体分解図である。
【考案を実施するための形態】
【００１０】
以下に図面を参照しながら本考案を実施するための最良の形態について詳細に説明する。
【実施例】
【００１１】
本考案の第一実施例である図１、２、３に示すように、本考案の散熱装置1は、管体11とカバー体12を重ねて設置し構成する。
【００１２】
管体11は、中空構造で、両端には、それぞれ第一端口111と第二端口112を備える。
第一端口111は、熱の入口で、第二端口112は、熱の出口である。
第一端口111と第二端口112の外縁辺には、それぞれ第一連接部113と第二連接部114を設置する。
第一連接部113と第二連接部114は共に、外ネジヤマ構造であるが、他の等価構造に置換することができる。
【００１３】
カバー体12の底内部には、空間121を備え、空間121により、管体11の第二端口112上を覆って蓋をする
空間121縁辺には、内連接部122を設置し、内連接部122により、管体11の第二連接部114に接続する。
カバー体12の内連接部122設置時には、外から内へと最底まで届かない形態とし、最内端には、間隙部124を形成する。
内連接部122は、内ネジヤマ構造であるが、他の等価構造に置換することができる。
カバー体12の内側壁外から内へと縦に、１本、或いは１本以上の通道123を設置する。
【００１４】
カバー体12を、管体11頂端に被せて覆うと、空間121の面積は、管体11第二端口112の面積より大きくなる。
管体11頂端とカバー体12との間は、間隙部124と通道123により、非閉鎖状態を形成する。
各通道123の設置により、管体11内部に熱がたまると、熱は、管体11、カバー体12そのものの材料を利用して排除される他、間隙部124と通道123により、熱を直接排除する作用を達成する。
【００１５】
図４、５に示すように、散熱装置1の実施時には、蓄熱本体2上に設置する。
ここでいう蓄熱本体2とは、LED照明具で、特に、街路灯であるが、これに限定するものではない。
蓄熱本体2上には、１個、或いは１個以上の結合口21を開設し、各結合口21と各散熱装置1の第一連接部113とを接続し、散熱装置1と蓄熱本体2との結合関係を完成することができる。
【００１６】
結合口21は、内ネジヤマ構造を備える。
蓄熱本体2上には、１枚、或いは１枚以上の散熱フィン23を設置する。
散熱装置1と蓄熱本体2とは、一体式構造とすることができる。
【００１７】
図６に合わせて示すように、実施時に、蓄熱本体2内部で、LED作動により生じる高熱のような熱が生じると、熱は、熱空気上昇の原理により、散熱装置1の管体11内に入る。
さらに熱は、管体11内で徐々に上昇し、第二端口112位置まで来ると、管体11とカバー体12の間隙部124と通道123を利用して、散熱装置1外部へと発散され、こうして主動式排熱の目的を達成する。
【００１８】
本考案の散熱装置1は、管体11上方に、カバー体12を設置するため、排熱機能を備えるばかりか、降雨時には、管体11内部への雨水の進入を阻むことができる。
同時に、散熱装置1の総高度が、周辺の散熱フィン23より高い時には、さらに砂やほこりがたまりにくい、或いは詰まりにくいという長所を発揮し、これにより排熱への影響を回避することができ、非常に理想的かつ実用的である。
【００１９】
図７は、本考案の第二実施例である。
散熱装置3は、管体31とカバー体32を備え、カバー体32は、管体31の一端を覆って蓋をする。
管体31両端は、第一端口311と第二端口312で、第二端口312末端縁には、１個、或いは１個以上の間隙部314を設置し、しかも各間隙部314は、管体31外側縁に向かい延伸し、通道315を設置する。
間隙部314と通道315の設置により、カバー体32が、管体31の一端を覆うと、間隙部314と通道315は、排熱作用を提供することができる。
【００２０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２２】
1 
散熱装置
11    管体
111   第一端口
112   第二端口
113   第一連接部
114   第二連接部
12    カバー体
121   空間
122   内連接部
123   通道
124   間隙部
2     蓄熱本体
21    結合口
23    散熱フィン
3     散熱装置
31    管体
32    カバー体
311   第一端口
312   第二端口
313 
第一連接部
314 
間隙部
315 
通道
【図１】
0003167998.tif 000003
【図２】
0003167998.tif 000004
【図３】
0003167998.tif 000005
【図４】
0003167998.tif 000006
【図５】
0003167998.tif 000007
【図６】
0003167998.tif 000008
【図７】
0003167998.tif 000009